(57)【要約】【課題】複数の表示装置を備えた撮像装置において表示装置の切替えに関するユーザの使い勝手を向上した撮像装置を提供する。【解決手段】撮像装置は、第１の表示装置３００と、第２の表示装置２３０と、第１の表示装置３００に物体が接近したことを検出する接眼センサ３１０と、接眼センサ３１０の有効および無効を切り替える制御部２２０と、を備える。制御部２２０は、第１の表示装置３００が傾いておらず、第２の表示装置２３０が傾いているとき、接眼センサ３１０を無効に設定する。制御部２２０は、第１、第２の表示装置３００、２３０が傾いているときに、接眼センサ３１０を有効に設定する。【選択図】図４
2019095782.tif 000002
【特許請求の範囲】
【請求項１】
第１表示面を含む第１の表示装置と、
第２表示面を含む第２の表示装置と、
前記第１の表示装置に物体が接近したことを検出する接眼センサと、
前記接眼センサの機能の有効および無効を切り替える制御部とを備え、
前記制御部は、
前記第１表示面が基準面と平行であり、かつ前記第２表示面が前記基準面に対して傾いているときに、前記接眼センサを無効に設定し、
前記第１表示面および前記第２表示面の両方が前記基準面に対して傾いているときに、前記接眼センサを有効に設定するように構成された、撮像装置。
【請求項２】
前記第１表示面および前記第２表示面の両方が前記基準面に対して傾いている状態で、前記接眼センサが前記物体の接近を検出したときに、前記制御部は、前記第１の表示装置に画像を表示させる、請求項１に記載の撮像装置。
【請求項３】
前記制御部は、前記第１表示面および前記第２表示面の両方が前記基準面に対して傾いている場合であって、
前記第２の表示面の傾き角度から前記第１の表示面の傾き角度を引いた値が所定値より小さい場合は前記接眼センサを有効に設定し、前記値が前記所定値以上の場合は、前記接眼センサを無効に設定する、請求項１に記載の撮像装置。
【請求項４】
前記第１の表示装置は前記撮像装置の上面に配置され、前記第２の表示装置は前記撮像装置の背面に配置される、請求項１に記載の撮像装置。
【請求項５】
前記第１表示面が前記基準面に対して傾いていることを検出する第１の傾きセンサと、
前記第２表示面が前記基準面に対して傾いていることを検出する第２の傾きセンサと、をさらに備え、
前記制御部は、前記第１の傾きセンサおよび前記第２の傾きセンサの検出結果に応じて前記接眼センサの前記機能の有効および無効を切り替える、請求項１に記載の撮像装置。
【請求項６】
前記撮像装置を背面から見た場合に、前記第１の表示装置は、前記第１表示面と対向する位置に窓を備え、前記接眼センサは、前記窓よりも内側および下側のいずれかに配置される、請求項１に記載の撮像装置。
【請求項７】
前記基準面は、前記撮像装置の光軸に対して垂直な面である、請求項１に記載の撮像装置。
【発明の詳細な説明】
【技術分野】
【０００１】
本開示は、複数の表示装置を備えた撮像装置であって、複数の表示装置の表示面の向きを変更可能な撮像装置に関する。
【背景技術】
【０００２】
特許文献１は、複数の表示手段を備えた撮像装置における、表示手段の切替に関する技術を開示する。特許文献１の撮像装置は、第１の表示手段と、近接検知手段と、位置検知手段と、第２の表示手段と、制御手段と、を備える。第１の表示手段は、画像データを表示し、基準位置及び基準位置と異なる位置をとり得る。近接検知手段は、物体が第１の表示手段へ近接していることを検知する。位置検知手段は、第１の表示手段が基準位置にあるか否かを検知する。第２の表示手段は、撮像手段により生成された画像データを表示する。制御手段は、第１の表示手段が基準位置にないことを位置検知手段が検知したときは、近接検知手段を動作させる。そして制御手段は、近接検知手段が物体の近接を検知したときに第１の表示手段を動作させ、近接検知手段が物体の近接を検知していないときに第２の表示手段を動作させる。この構成により、例えば、表示手段の自動切換機能が無効に設定されている場合でも、使用者が第１の表示手段（例えば、外部ビューファインダ）を使用するために、第１の表示手段を回転させたときに、表示モニタ自動切換機能が有効になる。したがって、使用者の撮影スタイルの変更にともなう表示手段の変更の設定が簡便になり、撮像装置の使い勝手が向上する。
【先行技術文献】
【特許文献】
【０００３】
【特許文献１】特開２０１２−２３７２３号公報
【発明の概要】
【発明が解決しようとする課題】
【０００４】
本開示は、複数の表示装置を備える撮像装置において、表示装置の切り替えに関するユーザの使い勝手を向上させる。
【課題を解決するための手段】
【０００５】
本開示の撮像装置は、第１表示面を含む第１の表示装置と、第２表示面を含む第２の表示装置と、前記第１の表示装置に物体が接近したことを検出する接眼センサと、前記接眼センサの機能の有効および無効を切り替える制御部とを備える。
【０００６】
前記制御部は、前記第１表示面が基準面と平行であり、かつ前記第２表示面が前記基準面に対して傾いているときに、前記接眼センサを無効に設定するように構成されている。
【０００７】
前記制御部は、前記第１表示面および前記第２表示面の両方が前記基準面に対して傾いているときに、前記接眼センサを有効に設定するように構成されている。
【発明の効果】
【０００８】
本開示によれば、第１の表示装置が傾いておらず、第２の表示装置が傾いている第１の状態のときは、接眼センサが無効に設定される。また、第１の表示装置が傾き、かつ第２の表示装置が傾いている第２の状態のときに、接眼センサが有効に設定される。これにより、第１の状態において、接眼センサによる誤検出を低減できる。一方で、第２の状態において、接眼センサによる表示装置の自動切替えが可能となり、ユーザの使い勝手を向上できる。
【図面の簡単な説明】
【０００９】
【図１】本開示の実施の形態におけるデジタルカメラを斜め前方から見たときの斜視図
【図２】デジタルカメラを斜め後方から見たときの斜視図
【図３】デジタルカメラの背面図
【図４】デジタルカメラの内部構成を示すブロック図
【図５】（Ａ）ＥＶＦおよびＬＣＤを傾けた状態のデジタルカメラの側面図と、（Ｂ）ＥＶＦおよびＬＣＤを傾けた状態のデジタルカメラの斜め後方から見た斜視図とを対比した図
【図６】（Ａ）ＥＶＦおよびＬＣＤを傾けた状態のデジタルカメラの側面図と、（Ｂ）ＥＶＦおよびＬＣＤを傾けた状態のデジタルカメラを斜め後方から見た斜視図とを対比した図
【図７】実施の形態１のデジタルカメラにおける、ＥＶＦとＬＣＤの状態と、接眼センサの有効および無効との関係を示した図
【図８】実施の形態１のデジタルカメラにおける接眼センサの有効および無効の設定処理を示すフローチャート
【図９】本開示の実施の形態２のデジタルカメラにおけるＥＶＦの収納状態及びポップアップ状態を説明するための図
【図１０】実施の形態２のデジタルカメラにおける、ＥＶＦの状態と、ＬＣＤの状態と、接眼センサの有効および無効との関係を示した図
【図１１】実施の形態２のデジタルカメラにおける接眼センサの有効および無効の設定処理を示すフローチャート
【図１２】実施の形態３のデジタルカメラに設けられた角度センサを説明するための図
【図１３】ＬＣＤを下向きに傾けたときのＬＣＤの傾き角度θＬを説明した図
【図１４Ａ】実施の形態３のデジタルカメラにおける接眼センサの有効および無効の設定処理を示すフローチャート（実施の形態１の構成への適用例）
【図１４Ｂ】実施の形態３のデジタルカメラにおける接眼センサの有効および無効の設定処理を示すフローチャート（実施の形態１の構成への別の適用例）
【図１５Ａ】実施の形態３のデジタルカメラにおける接眼センサの有効および無効の設定処理を示すフローチャート（実施の形態２の構成への適用例）
【図１５Ｂ】実施の形態３のデジタルカメラにおける接眼センサの有効および無効の設定処理を示すフローチャート（実施の形態２の構成への別の適用例）
【発明を実施するための形態】
【００１０】
（実施の形態１）
以下、本開示の思想をレンズ交換式のカメラシステムに適用した場合の実施の形態について図面を用いて説明する。以下の実施形態では、２つの表示装置を備えたデジタルカメラにおいて、表示装置の切替えに関してユーザの使い勝手の良いデジタルカメラを説明する。
【００１１】
１．構成
図１は、本開示の撮像装置の実施の形態１のデジタルカメラ１０を斜め前方から見たときの斜視図である。図２は、デジタルカメラ１０を斜め後方から見たときの斜視図である。図３は、デジタルカメラ１０の背面図である。
【００１２】
デジタルカメラ１０はレンズ交換式カメラであり、交換レンズ１００と、カメラボディ２００とで構成される。カメラボディ２００の上面には、第１の表示装置として、可動式の電子ビューファインダ（以下「ＥＶＦ：Ｅｌｅｃｔｒｏｎｉｃ  ｖｉｅｗｆｉｎｄｅｒ」と称す）３００が設けられている。また、カメラボディ２００の背面には、第２の表示装置として、可動式の液晶モニタ（以下「ＬＣＤ：Ｌｉｑｕｉｄ  ｃｒｙｓｔａｌ  ｄｉｓｐｌａｙ」と称す）２３０が設けられている。本実施の形態では、デジタルカメラ１０において、ＬＣＤ２３０及びＥＶＦ３００のいずれかが、画像を表示する表示装置として機能する。第２の表示装置は有機ＥＬ（Ｅｌｅｃｔｒｏ  Ｌｕｍｉｎｅｓｃｅｎｃｅ）表示デバイスで構成されてもよい。
【００１３】
図４は、デジタルカメラ１０の内部構成を示すブロック図である。交換レンズ１００は、フォーカスレンズ１１０及びズームレンズ１２０を備え、交換レンズ１００に入射した光をカメラボディ２００に導く。
【００１４】
カメラボディ２００は、ＣＣＤ（Ｃｈａｒｇｅ  Ｃｏｕｐｌｅｄ  Ｄｅｖｉｃｅ）イメージセンサ２１０と、コントローラ２２０と、ＬＣＤ２３０と、ＲＡＭ（Ｒａｎｄｏｍ  Ａｃｃｅｓｓ  Ｍｅｍｏｒｙ）２４０と、操作部材２５０と、カードスロット２６０と、を備える。
【００１５】
デジタルカメラ１０は、交換レンズ１００を介して入射した被写体像をＣＣＤイメージセンサ２１０によって撮像し、電気信号に変換して画像データを生成する。コントローラ２２０は、生成した画像データに各種画像処理および圧縮処理を施して、カードスロット２６０を介してメモリカード４００に記録する。以下、デジタルカメラ１０の各構成要素を具体的に説明する。
【００１６】
ＣＣＤイメージセンサ２１０は、交換レンズ１００を介して取り込んだ光学信号を電気信号に変換するデバイスである。ＣＣＤイメージセンサに代えて、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサまたはＮＭＯＳ（ｎ‐Ｃｈａｎｎｅｌ  Ｍｅｔａｌ‐Ｏｘｉｄｅ  Ｓｅｍｉｃｏｎｄｕｃｔｏｒ）イメージセンサのような他の画像センサが使用されてもよい。
【００１７】
操作部材２５０は各種操作部材の総称である。操作部材は、図３に示すように、例えば、レリーズ釦２５１および十字キー２５２を含む。レリーズ釦２５１は、ユーザが静止画像の撮影を指示するときに押下される。十字キー２５２は、ＵＩ（Ｕｓｅｒ  Ｉｎｔｅｒｆａｃｅ）上の項目の選択および決定等を受け付ける。十字キー２５２は、上下左右釦と、その中心に位置する決定釦とを備える。ユーザは、十字キー２５２を構成する各種釦を押下することにより、ＬＣＤ２３０またはＥＶＦ３００上に表示されるカーソルを移動し、ＵＩの項目の選択および決定等を行うことができる。操作部材２５０はさらに、ユーザのタッチ操作を可能とするタッチパネル２５５を含む。タッチパネル２５５はＬＣＤ２３０の表示面２３０Ａに重畳して配置されている。ユーザはＬＣＤ２３０に表示された画像またはアイコンを見ながらタッチパネル２５５上でタッチ操作を行うことができる。
【００１８】
コントローラ２２０は、デジタルカメラ１０全体の動作を制御する。コントローラ２２０は、ＣＣＤイメージセンサ２１０から得た画像データに対してガンマ補正、キズ補正、およびホワイトバランス補正等の各種画像処理、ならびにＪＰＥＧ圧縮処理またはＭＰＥＧ圧縮処理等の圧縮処理等を施す。コントローラ２２０は、制御動作および画像処理において、ＲＡＭ２４０をワークメモリとして使用する。コントローラ２２０は、半導体素子などで実現可能である。コントローラ２２０の機能は、ハードウェアとソフトウェアとを組み合わせることにより実現されてもよいし、ハードウェアのみで構成されてもよい。コントローラ２２０は、例えば、マイクロコントローラ、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＦＰＧＡ（Ｆｉｅｌｄ‐Ｐｒｏｇｒａｍｍａｂｌｅ  Ｇａｔｅ  Ａｒｒａｙ）、またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）で実現できる。
【００１９】
カードスロット２６０は、メモリカード４００を格納するスロットである。カードスロット２６０は、メモリカード４００と電気的に接続して、カメラボディ２００とメモリカード４００間の画像データの転送を行う。すなわち、カードスロット２６０を介して、デジタルカメラ１０は、撮像した画像データをメモリカード４００へ記録したり、メモリカード４００から、記録されている画像データを読み出したりすることが可能になる。
【００２０】
ＥＶＦ３００は、物体の接近を検知する接眼センサ３１０と、透明な接眼窓３５０（本開示の窓の一例）とを備える。接眼窓３５０は、デジタルカメラ１０の背面において、ＥＶＦ３００の外表面の一部を構成する。また、図４に示すように、ＥＶＦ３００は、表示デバイス３２０を内部に備えている。表示デバイス３２０は、表示面３２０Ａを有する。表示面３２０Ａは接眼窓３５０と対向する位置に配置されている。ユーザは接眼窓３５０を覗き込むことで、ＥＶＦ３００内の表示デバイス３２０の表示面３２０Ａに表示される画像を視認できる。ＥＶＦ３００を利用することでユーザは外光の影響を受けずに被写体を確認することができる。表示デバイス３２０は例えば液晶表示デバイスまたは有機ＥＬ表示デバイスで構成される。
【００２１】
接眼センサ３１０は、所定距離の範囲内に物体が存在するか否か、すなわち、物体（例えば、ユーザの顔の一部）の接近を検知するセンサである。たとえば接眼センサ３１０は、受光部と発光部とを備える。発光部は光を出力する。接眼センサ３１０に物体が接近している場合、光は物体に当たって反射する。受光部は物体からの反射光を入力する。反射光が入力された場合、接眼センサ３１０は物体の接近を示す検出信号を出力する。なお、光の出力から反射光の入力までの時間が所定時間内である場合に、物体と接眼センサ３１０との距離が所定の範囲内であると判断できる。したがって、たとえば接眼センサ３１０は、光の出力から反射光の入力までの時間が所定時間内である場合に、検出信号を出力してもよい。
【００２２】
接眼センサ３１０は、接眼窓３５０よりもデジタルカメラ１０の内側に配置される。つまり接眼センサ３１０は、図３に示すように接眼窓３５０の側方であって、カメラ１０の中央に近い方に配置される。このような配置により、接眼センサ３１０の誤検出を抑制できる。つまり、接眼センサ３１０が、接眼窓３５０の側方であって、カメラ１０の中央から遠い方（つまり、カメラ１０の外方に近い方）に配置される場合、接眼センサ３１０は、カメラの側面に取り付けられたストラップの接近を検出することがある。本開示は、接眼センサ３１０を用いて、ストラップではなくユーザの顔を検出することを目的としているため、ストラップの検出は誤検出となる。本実施の形態では、接眼センサ３１０がストラップから遠ざかる位置に配置されるため、接眼センサ３１０による誤検出（つまりストラップの接近の検出）の頻度を低減できる。
【００２３】
前述のとおり、接眼センサ３１０は、所定距離の範囲内に物体の存在を検知すると、物体の検知を示す検出信号を出力し、コントローラ２２０に送信する。したがって、ユーザが接眼窓３５０からＥＶＦ３００を覗き込んだ場合、接眼センサ３１０は所定距離の範囲内に物体が存在すると検知し、物体の検知を示す検出信号をコントローラ２２０に送信する。
【００２４】
接眼センサ３１０の機能は、有効および無効の一方に設定される。接眼センサ３１０の機能が有効に設定された場合、接眼センサ３１０は、物体の接近を検知すると、物体の接近を示す検出信号を出力する。接眼センサ３１０の機能が無効に設定された場合、接眼センサ３１０はこの動作を停止する。すなわち接眼センサ３１０は、物体の接近を検知する機能および検出信号を出力する機能の少なくとも一方を停止する。
【００２５】
ＥＶＦ３００は、図１、図２に示すようなカメラボディ２００に収納された状態をとり得る。ここで、交換レンズ１００の光軸Ｌに対して垂直な面を、基準面とする。ＥＶＦ３００は可動であり、図１、図２に示すような収納状態から、図５、図６に示すように、基準面に対して回転移動して傾いた状態（以下「チルト状態」と称す）に変化し得る。なお、ＥＶＦ３００の表示面３２０Ａが基準面に対してある角度回動するとき、ＥＶＦ３００自体は、カメラボディ２００の上面に対して同じ角度回動する。本実施の形態では、ＥＶＦ３００は、カメラボディ２００の上面に対して上下方向に０°以上かつ９０°以下の角度で回転（チルト）させることができるように、ヒンジ（図示せず）を介してカメラボディ２００に取り付けられている。つまり、図５の（Ａ）、図６の（Ａ）の方向を用いて定義すれば、ＥＶＦ３００の表示面３２０Ａは、光軸Ｌに垂直な状態と、この状態から反時計回りに９０度回転した状態との間で回動する。図１、２に示す収納状態にあるときのＥＶＦ３００の位置をＥＶＦ３００の基準位置とする。
【００２６】
ＥＶＦ３００が収納状態であるとき、表示デバイス３２０の表示面３２０Ａの法線は交換レンズ１００の光軸Ｌの方向と一致する。すなわち、ＥＶＦ３００の基準位置とは、ＥＶＦ３００の光軸とデジタルカメラ１０の光軸（または、カメラボディ２００の上面）が平行になるように配置されたときのＥＶＦ３００の位置である。
【００２７】
カメラボディ２００は、図４に示すように、ＥＶＦ３００に対して、ＥＶＦ３００がチルト状態であるか（すなわち、収納状態でないか）否かを検出するための第１の傾きセンサ３４０を備えている。第１の傾きセンサ３４０は機械的なスイッチで実現される。ここでは、機械的なスイッチとは、接触スイッチを意味する。機械的なスイッチは、可動部と一対の金属接点とを有する。金属接点の一方は可動部に備えられる。可動部の作動によって、一対の金属接点が接触する。
【００２８】
ＥＶＦ３００が収納状態のとき、ＥＶＦ３００は可動部と当接して第１の傾きセンサ３４０はＯＮとなる。ＥＶＦ３００がチルト状態のとき、ＥＶＦ３００と可動部との当接が外れて第１の傾きセンサ３４０はＯＦＦとなり、チルト状態であることが検出される。第１の傾きセンサ３４０はＯＮおよびＯＦＦの一方の状態を示す検出信号をコントローラ２２０に送信する。
【００２９】
第１の傾きセンサ３４０は、本実施の形態では、カメラボディ２００の、ＥＶＦ３００が収納される凹部の奥側（つまり、デジタルカメラ１０の背面から離れる側）に設けられている。これにより、第１の傾きセンサ３４０はユーザから見え難くなり、デジタルカメラ１０のデザイン性が向上する。しかし、第１の傾きセンサ３４０の設けられる位置は、この位置に限られない。第１の傾きセンサ３４０が機械的なスイッチの場合は、第１の傾きセンサ３４０は、収納状態からチルト状態に推移するときのＥＶＦ３００の軌跡の範囲に配置される。
【００３０】
なお第１の傾きセンサ３４０は、機械的なスイッチに代えて、ホール素子または磁気抵抗(ＭＲ：Ｍａｇｎｅｔｏ  Ｒｅｓｉｓｔｉｖｅ)センサなどの非接触スイッチで実現されてもよい。
【００３１】
ＬＣＤ２３０はカメラボディ２００の背面に設けられる。図５、図６は、ＥＶＦ３００及びＬＣＤ２３０が傾けられた状態にあるカメラボディ２００の状態を示す図である。ＬＣＤの表示面２３０Ａも、前述の基準面（つまり光軸Ｌ１に垂直な面）に対して傾くように構成されている。つまり、図５、図６に示すように、ＬＣＤ２３０は、カメラボディ２００に対して、その位置、角度を変化させることができるよう構成されている。このため、図６の（Ａ）に示すように、ＬＣＤ２３０は、第１ヒンジ２３２と、連結部材２３４と、第２ヒンジ２３６とを介して、カメラボディ２００に連結されている。
【００３２】
第１ヒンジ２３２は、カメラボディ２００の背面の下部に設けられている。第１ヒンジ２３２は、ＬＣＤ２３０の下方に位置する。第１ヒンジ２３２は、水平に延伸する。連結部材２３４は第１ヒンジ２３２を介してカメラボディ２００に連結される。これにより、連結部材２３４は、第１ヒンジ２３２を軸としてカメラボディ２００に対して回転する。また、連結部材２３４とＬＣＤ２３０は第２ヒンジ２３６を介して連結される。第２ヒンジ２３６は、ＬＣＤ２３０に設けられている。ここで、ＬＣＤ２３０の表示面２３０Ａは、長手方向である幅方向と、短手方向である高さ方向で規定されるものとする。第２ヒンジ２３６は、ＬＣＤ２３０の幅方向の両側面に配置される。また、第２ヒンジ２３６は、高さ方向の略中央位置に配置される。上記の位置で、第２ヒンジ２３６はＬＣＤ２３０を回動可能に支持する。これにより、ＬＣＤ２３０は第２ヒンジ２３６を軸として連結部材２３４に対して回転（チルト）する。このように、ＬＣＤ２３０は、カメラボディ２００に回動可能に取り付けられた連結部材２３４に対して回動可能に取り付けられている。このような構成により、ユーザは、カメラボディ２００に対して、ＬＣＤ２３０を好みの位置及び角度に自在に変更することができる。
【００３３】
図２、図３に示すような、ＬＣＤ２３０がカメラボディ２００内に収納された状態を、ＬＣＤ２３０の「収納状態」という。また、図５、図６に示すような、ＬＣＤ２３０の表示面２３０Ａがカメラボディ２００に対して傾けられた状態を、ＬＣＤ２３０の「チルト状態」という。
【００３４】
カメラボディ２００は、ＬＣＤ２３０がチルト状態（すなわち、ＬＣＤ２３０が収納状態でない状態）であることを検出するための第２の傾きセンサ２９０を備えている（図４参照）。第２の傾きセンサ２９０は、例えば機械的なスイッチ（つまり、接触スイッチ）で構成されてもよいし、ホール素子またはＭＲセンサなど（つまり、非接触スイッチ）で構成されてもよい。第２の傾きセンサ２９０をホール素子、つまり磁石とホール素子本体とで構成する場合、磁石は、例えばＬＣＤ２３０の右端上端の内部に配置され、ホール素子本体は、例えばＬＣＤ２３０が収納状態のときの磁石の配置場所と対向するカメラボディ２００の背面側の内部に配置される。ＬＣＤ２３０が収納状態のとき、第２の傾きセンサ２９０はＯＦＦとなり、ＬＣＤ２３０がチルト状態のとき、第２の傾きセンサ２９０はＯＮとなる。第２の傾きセンサ２９０は、ＯＮおよびＯＦＦのいずれかの状態を示す検出信号をコントローラ２２０に送信する。
【００３５】
ＬＣＤ２３０及びＥＶＦ３００は、コントローラ２２０で各種画像処理等を施された画像データが示す画像、および各種の情報を表示することができる。例えば、ＬＣＤ２３０及びＥＶＦ３００は、ライブビュー画像またはメモリカード３００に記録されている画像データの再生画像を表示することができる。ここで、ライブビュー画像とは、ＣＣＤイメージセンサ２１０で撮像されてリアルタイムに表示される画像である。ユーザはライブビュー画像を参照することで、静止画撮影を行う際に構図を決定することができる。また、ＬＣＤ２３０及びＥＶＦ３００は、デジタルカメラ１０の各種設定を行うための設定画面またはＵＩを表示することができる。
【００３６】
２．動作
本実施の形態のデジタルカメラ１０は、ＣＣＤイメージセンサ２１０で撮像された画像を、ＬＣＤ２３０及びＥＶＦ３００のいずれかの表示装置に表示させることができる。具体的には、本実施の形態では、デフォルト設定において、画像を表示する表示装置はＬＣＤ２３０に設定される。ＬＣＤ２３０が画像を表示する表示装置として設定されているときに、接眼センサ３１０により、物体（例えば、ユーザの顔）の接近が検出されると、画像を表示する表示装置がＬＣＤ２３０からＥＶＦ３００に切り替えられる。その後、接眼センサ３１０により、物体（例えば、ユーザの顔）がＥＶＦ３００から離れたことが検出されると、画像を表示する表示装置がＥＶＦ３００からＬＣＤ２３０に切り替えられる。このように接眼センサ３１０の検出結果に応じて自動で表示装置が切り替えられることにより、ユーザは手動で表示装置を切り替える必要が無くなる。したがって、表示装置の切替え操作に関するユーザの利便性が向上する。
【００３７】
本実施の形態のデジタルカメラ１０は、ＥＶＦ３００とＬＣＤ２３０それぞれの傾き角度を変更することができる。ＥＶＦ３００及びＬＣＤ２３０の傾き角度によっては、ユーザがＬＣＤ２３０に重畳して設けられたタッチパネルをタッチ操作するときに、接眼センサ３１０が、ＥＶＦ３００にユーザの顔が接近していると誤検出する場合がある。例えば、ユーザが接眼センサ３１０に近いタッチパネルの上部をタッチ操作している場合に、そのような誤検出が起こりやすい。そこで、本実施の形態では、このような誤検出を低減するため、ＥＶＦ３００とＬＣＤ２３０の可動状態に応じて接眼センサ３１０の機能の有効および無効の設定を制御する。
【００３８】
図７は、本実施の形態のデジタルカメラ１０における、ＥＶＦ３００とＬＣＤ２３０の可動状態（つまり収納状態およびチルト状態）と、接眼センサ３１０の有効および無効との関係を示した図である。図７に示すように、デジタルカメラ１０において接眼センサ３１０は、ＥＶＦ３００の可動状態とＬＣＤ２３０の可動状態の組み合わせに応じて有効または無効に設定される。
【００３９】
具体的には、ＥＶＦ３００及びＬＣＤ２３０の双方が収納状態にある場合（可動状態１）、接眼センサ３１０は有効に設定される。このとき、画像を表示する表示装置として、ＬＣＤ２３０が設定され、ユーザはＬＣＤ２３０に表示された画像に対してタッチ操作が可能となる。接眼センサ３１０が物体の接近を検知したときは、画像を表示する表示装置がＬＣＤ２３０からＥＶＦ３００に切り替えられる。
【００４０】
ＥＶＦ３００が収納状態にあり、かつＬＣＤ２３０がチルト状態にある場合（可動状態２）、接眼センサ３１０は無効に設定される。このとき、画像を表示する表示装置として、ＬＣＤ２３０が設定され、ユーザはＬＣＤ２３０に表示された画像に対してタッチ操作が可能となる。特にＬＣＤ２３０がチルト状態にある場合、ユーザがＬＣＤ２３０に重畳して配置されているタッチパネルを操作する可能性が高いと考えられる。よって、接眼センサ３１０を無効にすることで、ユーザが接眼センサ３１０近くでタッチパネルを操作した場合に、接眼センサ３１０が、タッチ操作をユーザの顔の接近として誤検出することを低減できる。
【００４１】
ＥＶＦ３００がチルト状態にある場合（可動状態３、４）、ＬＣＤ２３０の状態に依らず、接眼センサ３１０は有効に設定される。ＥＶＦ３００がチルト状態にある場合、ユーザがＥＶＦ３００を利用することが期待される。このため、接眼センサ３１０を有効に設定することで、ＥＶＦ３００への自動切り替えが可能となり、ユーザの利便性を向上できる。例えば、可動状態２から可動状態４に移行した後、接眼センサ３１０が物体（例えば、ユーザの顔）の接近を検出すると、コントローラ２２０は、画像を表示させる表示装置をＬＣＤ２３０からＥＶＦ３００に切り替える。
【００４２】
図８のフローチャートを参照し、本実施形態のデジタルカメラ１０における、図７に示すような表示装置の切換動作について説明する。なお、デジタルカメラ１０では、機能させる表示装置としてＥＶＦ３００またはＬＣＤ２３０のいずれかが設定される。
【００４３】
コントローラ２２０は、第１の傾きセンサ３４０からの検出信号に基づきＥＶＦ３００が収納状態にあるか否かを判断する（Ｓ１１）。ＥＶＦ３００が収納状態でない場合（Ｓ１１でＮＯ）、すなわち、チルト状態にある場合（可動状態３、４）、コントローラ２２０は、接眼センサ３１０を有効に設定する（Ｓ１４）。
【００４４】
一方、ＥＶＦ３００が収納状態である場合（Ｓ１１でＹＥＳ）、コントローラ２２０は、第２の傾きセンサ２９０からの検出信号に基づきＬＣＤ２３０がチルト状態であるか否かを判断する（Ｓ１２）。ＬＣＤ２３０がチルト状態である場合（Ｓ１２でＹＥＳ、可動状態２）、コントローラ２２０は、接眼センサ３１０を無効に設定する（Ｓ１３）。一方、ＬＣＤ２３０がチルト状態でない場合（Ｓ１２でＮＯ、可動状態１）、コントローラ２２０は、接眼センサ３１０を有効に設定する（Ｓ１４）。
【００４５】
以上のように、ＥＶＦ３００及びＬＣＤ２３０の可動状態に応じて、接眼センサ３１０の有効および無効が自動で設定されるため、ユーザの利便性を向上できる。
【００４６】
３．効果、等
以上のように、本実施形態のデジタルカメラ１０（撮像装置の一例）は、表示面３２０Ａを含むＥＶＦ３００（第１の表示装置の一例）と、表示面２３０Ａを含むＬＣＤ２３０（第２の表示装置の一例）と、ＥＶＦ３００に物体（例えば、ユーザの顔）が接近したことを検出する接眼センサ３１０と、接眼センサ３１０の機能の有効および無効を切り替えるコントローラ２２０（制御部の一例）と、を備える。
【００４７】
コントローラ２２０は、ＥＶＦ３００の表示面３２０Ａが基準面（たとえば光軸Ｌ１に垂直な面）に対して平行であり、かつＬＣＤ２３０の表示面２３０Ａが前述の基準面に対して傾いているとき、つまりＥＶＦ３００が収納状態であり、ＬＣＤ２３０がチルト状態のとき（すなわち図７の可動状態２のとき）、接眼センサ３１０を無効に設定する。また、コントローラ２２０は、ＥＶＦ３００の表示面３２０Ａが基準面に対して傾いていて、かつＬＣＤ２３０の表示面２３０Ａが基準面に対して傾いているとき、つまりＥＶＦ３００がチルト状態であり、かつＬＣＤ２３０がチルト状態のとき（すなわち図７の可動状態４のとき）、接眼センサ３１０を有効に設定する。
【００４８】
これにより、可動状態２において、タッチ操作をユーザの顔の接近として誤検出することを低減できる。また、可動状態４において、接眼センサ３１０による表示装置の自動切り替えが可能となる。その結果、ユーザの使い勝手を向上できる。
【００４９】
また、本実施の形態では、デジタルカメラ１０は、第１の傾きセンサ３４０と、第２の傾きセンサ２９０とを備えていてもよい。この場合、第１の傾きセンサ３４０は、ＥＶＦ３００の傾きを検出する。つまり、第１の傾きセンサ３４０は、表示面３２０Ａが基準面に対して傾いているとき、検出信号を出力する。また、第２の傾きセンサ２９０は、ＬＣＤ２３０の傾きを検出する。つまり第２の傾きセンサ２９０は、表示面２３０Ａが基準面に対して傾いているとき、検出信号を出力する。さらに、コントローラ２２０は、第１の傾きセンサ３４０および第２の傾きセンサ２９０のそれぞれの検出結果を入力される。コントローラ２２０は、これらの検出結果に基づいて、ＥＶＦ３００とＬＣＤ２３０の可動状態を判断し、接眼センサの有効および無効を切り替える。これにより、デジタルカメラ１０は、簡易な構成で表示装置の自動切り替えが可能となる。
【００５０】
また、本実施の形態では、コントローラ２２０は、ＥＶＦ３００及びＬＣＤ２３０が可動状態２から可動状態４に移行し、かつ、接眼センサ３１０が物体の接近を検出したときに、画像を表示させる表示装置を、ＬＣＤ２３０からＥＶＦ３００に切り替えてもよい。これにより、ユーザは顔をＥＶＦ３００に近づけることで、画像を表示させる表示装置がＥＶＦ３００に自動で切り替えられるため、ユーザの使い勝手が向上する。
【００５１】
また、本実施の形態では、デジタルカメラ１０を背面から見た場合に、ＥＶＦ３００は、表示面３２０Ａと対向する位置に接眼窓３５０（本開示の窓の一例）を備えていてもよい。そして、接眼センサ３１０は、接眼窓３５０よりも内側に配置されていてもよい。これにより、接眼センサ３１０が、デジタルカメラ１０の側面に取り付けられるストラップの接近を、ユーザの顔の接近として誤検出し難くなる。
【００５２】
なお、接眼センサ３１０が配置される位置は、接眼窓３５０より内側に限定されない。たとえば、接眼センサ３１０は、接眼窓３５０より下側に配置されてもよい。接眼窓３５０より下の位置は、ＬＣＤ２３０に近接する。特に、ＥＶＦ３００が収納状態であり、ＬＣＤ２３０がチルト状態のとき、接眼窓３５０より下の位置は、ＬＣＤ２３０に近接する。したがって、ユーザの指などがＬＣＤ２３０に接近すると、接眼センサ３１０は、ＥＶＦ３００にユーザの顔が接近したものとして誤検出してしまうことがある。これに対し本実施の形態では、図７の可動状態２に示すように、ＥＶＦ３００が収納状態であり、ＬＣＤ２３０がチルト状態のとき、接眼センサ３１０は無効に設定される。したがって、ユーザの期待しない表示画面の自動切換えは回避される。
【００５３】
上述のように、接眼センサ３１０は、接眼窓３５０よりも内側または下側に設けられていることがより好ましいが、上側または外側に設けられていてもよい。たとえば接眼センサ３１０が接眼窓３５０より上側に設けられている場合の、本実施の形態の効果を説明する。ＬＣＤ２３０の傾きによっては、ユーザはデジタルカメラ１０の上部側からＬＣＤ２３０のタッチパネル２５５を操作することがある。この場合に、接眼窓３５０より上側に配置された接眼センサ３１０は、ユーザの手指を誤検出しやすいが、接眼センサ３１０の機能が無効に設定されていれば、誤検出を回避できる。
【００５４】
（実施の形態２）
実施の形態１のデジタルカメラ１０は、ＥＶＦ３００が外部に露出した状態でカメラボディ２００に取り付けられていた。これに対して、本実施の形態２では、ＥＶＦ３００は、不使用時にはカメラボディ２００内に収納されている。以下、カメラボディ２００内に収納可能なＥＶＦ３００を備えたデジタルカメラにおける、接眼センサの有効および無効の設定について説明する。以下では、実施の形態１のデジタルカメラ１０と異なる構成および動作について説明する。
【００５５】
図９は、本実施の形態のデジタルカメラ１０におけるＥＶＦ３００を模式的に説明した図である。図９の（Ａ）に示すように、ＥＶＦ３００は不使用時にはカメラボディ２００の内部に収容されている。ＥＶＦ３００はカメラボディ２００の内部において支持部材３０５で支持される。ＥＶＦ３００の使用時には、図９の（Ｂ）に示すように、支持部材３０５が上昇し、これによりＥＶＦ３００はカメラボディ２００の表面からポップアップする。ＥＶＦ３００は、ヒンジ（図示せず）を介して支持部材３０５と連結されており、図９の（Ｃ）に示すように、上下に回動（チルト動作）させることが可能となっている。また、本実施の形態のカメラボディ２００は、ＥＶＦ３００がポップアップしているか否かを検出する第３センサ３４５をさらに備えている。第３センサ３４５は、機械的なスイッチ（つまり、接触スイッチ）で実現されてもよいし、ホール素子または磁気抵抗(ＭＲ)センサなどの非接触スイッチで実現されてもよい。ＥＶＦ３００が収納状態のとき、第３センサ３４５はＯＦＦとなり、ＥＶＦ３００がポップアップ状態のとき、第３センサ３４５はＯＮとなる。第３センサ３４５はＯＮおよびＯＦＦの状態を示す検出信号をコントローラ２２０に送信する。
【００５６】
このようなポップアップ可能なＥＶＦ３００を備えるデジタルカメラ１０において、ＥＶＦ３００が収納されている状態（図９の（Ａ）に示す状態）と、ＥＶＦ３００がポップアップしている状態（図９の（Ｂ）、（Ｃ）に示す状態）と、ＬＣＤ２３０が収納されている状態とに基づき、接眼センサ３１０の有効および無効が自動で設定される。図１０は、実施の形態２のデジタルカメラ１０における、ＥＶＦ及びＬＣＤの可動状態と、接眼センサの有効および無効との関係を示した図である。
【００５７】
図１０に示すように、コントローラ２２０は、ＥＶＦ３００が収納状態にある場合（可動状態０）、ＬＣＤ２３０の状態に拘わらず、接眼センサ３１０を無効にする。ＥＶＦ３００が収納状態にあるときは、ユーザによるＥＶＦ３００の利用が期待されないからである。
【００５８】
ＥＶＦ３００がポップアップした状態でかつチルト状態ではなく、かつ、ＬＣＤ２３０が収納状態である場合（可動状態１）、コントローラ２２０は、接眼センサ３１０を有効にする。この場合、ＬＣＤ２３０すなわちタッチパネル２５５がカメラボディ２００の背面と平行となるため、接眼センサ３１０においてユーザによるタッチパネル操作が誤検出される可能性が低いと考えられる。そこで、ＥＶＦ３００への自動切替えによるユーザの利便性を優先し、接眼センサ３１０を有効に設定する。
【００５９】
ＥＶＦ３００がポップアップした状態でかつチルト状態ではなく、かつ、ＬＣＤ２３０がチルト状態である場合（可動状態２）、コントローラ２２０は、接眼センサ３１０を無効にする。この場合、ＬＣＤ２３０すなわちタッチパネル２５５がカメラボディ２００の背面と平行ではなくなるため、タッチパネル２５５の上部でユーザ操作があった場合、その操作が接眼センサ３１０において誤検出される場合がある。そこで、接眼センサ３１０における誤検出の低減を優先し、接眼センサ３１０を無効に設定する。
【００６０】
ＥＶＦ３００がポップアップした状態でかつチルト状態である場合（可動状態３、４）、コントローラ２２０は、接眼センサ３１０を有効にする。ＥＶＦ３００がチルト状態にある場合、ユーザによるＥＶＦ３００の利用の可能性が高いと考えられるため、接眼センサ３１０を有効に設定する。
【００６１】
図１１は、本実施の形態のデジタルカメラ１０の接眼センサ３１０の有効および無効の設定動作を示すフローチャートである。図１１のフローチャートを参照し、本実施の形態のデジタルカメラ１０における表示装置の切換動作について説明する。
【００６２】
コントローラ２２０は、第３センサ３４５からの検出信号に基づきＥＶＦ３００がポップアップ状態にあるか否かを判断する（Ｓ２１）。
【００６３】
ＥＶＦ３００がポップアップ状態でない場合（Ｓ２１でＮＯ）、すなわち、収納状態である場合（可動状態０）、コントローラ２２０は接眼センサ３１０を無効にする（Ｓ２２）。
【００６４】
ＥＶＦ３００がポップアップ状態である場合（Ｓ２１でＹＥＳ）、コントローラ２２０は、第１の傾きセンサ３４０からの検出信号に基づき、ＥＶＦ３００がチルト状態であるか否かを判断する（Ｓ２３）。
【００６５】
ＥＶＦ３００がチルト状態である場合（Ｓ２３でＹＥＳ、可動状態３、４）、コントローラ２２０は、接眼センサ３１０を有効に設定する（Ｓ２６）。
【００６６】
ＥＶＦ３００がチルト状態でない場合（Ｓ２３でＮＯ）、コントローラ２２０は、第２の傾きセンサ２９０からの検出信号に基づき、ＬＣＤ２３０がチルト状態であるか否かを判断する（Ｓ２４）。ＬＣＤ２３０がチルト状態である場合（Ｓ２４でＹＥＳ、可動状態２）、コントローラ２２０は、接眼センサ３１０を無効に設定する（Ｓ２２）。ＬＣＤ２３０がチルト状態でない場合（Ｓ２４でＮＯ）、すなわち、収納状態である場合（可動状態１）、コントローラ２２０は、接眼センサ３１０を有効に設定する（Ｓ２５）。
【００６７】
以上のように、ポップアップ可能なＥＶＦを備えたデジタルカメラにおいても、ＥＶＦ３００及びＬＣＤ２３０の状態に応じて接眼センサ３１０の有効および無効が自動で設定される。
【００６８】
（実施の形態３）
実施の形態１では、ＥＶＦ３００及びＬＣＤ２３０がともにチルト状態である場合（図７，図１０に示す可動状態４）、接眼センサ３１０を有効に設定した。これに対して、本実施の形態のデジタルカメラ１０では、ＥＶＦ３００及びＬＣＤ２３０がともにチルト状態であっても、ＥＶＦ３００と比べてＬＣＤ２３０が大きく傾けられているときは、接眼センサ３１０を無効に設定する。たとえば、ＥＶＦ３００にと比べてＬＣＤ２３０が大きく傾けられている場合、接眼センサ３１０により、ＬＣＤ２３０に対するタッチ操作、またはＬＣＤ２３０自体が、ユーザの顔の接近として誤検出される可能性が高くなる。このため、接眼センサ３１０を無効に設定することで、そのような誤検出を低減する。以下、本実施の形態のデジタルカメラ１０の構成、動作について、実施の形態１のデジタルカメラ１０と異なる構成および動作について説明する。
【００６９】
図１２に示すように、本実施の形態のデジタルカメラ１０のカメラボディ２００は、実施の形態１の構成において、第１の傾きセンサ３４０に代えて、ＥＶＦ３００の傾き角度θＥを検出する第１の角度センサ２９１を備える。
【００７０】
さらに、カメラボディ２００は、第２の傾きセンサ２９０に代えて、カメラボディ２００と連結部材２３４間の角度を検出する第２の角度センサ２９２と、連結部材２３４とＬＣＤ２３０間の角度を検出する第３の角度センサ２９３とを備える。第１〜第３の角度センサ２９１〜２９３は、例えば加速度センサ、ホール素子または磁気抵抗（ＭＲ）センサで構成される。第１の角度センサ２９１を加速度センサで構成する場合、第１の角度センサ２９１は、例えばＥＶＦ３００の内部に配置される。ＥＶＦ３００の傾斜角度に応じて加速度センサの重力の方向が異なることから当該傾斜角度に応じた出力が加速度センサからなされる。第２の角度センサ２９２をホール素子で構成する場合、磁石２９２Ｍは、例えば連結部材２３４の内部に配置され、ホール素子本体２９２Ｈは、例えばＬＣＤ２３０が収納状態のときの磁石２９２Ｍの配置場所と対向するカメラボディ２００の背面側の内部に配置される。同様に第３の角度センサ２９３をホール素子で構成する場合、磁石２９３Ｍは、例えばＬＣＤ２３０の右端上端の内部に配置され、ホール素子本体２９３Ｈは、例えばＬＣＤ２３０が収納状態のときの磁石２９３Ｍの配置場所と対向するカメラボディ２００の背面側の内部に配置される。
【００７１】
第２の角度センサ２９２及び第３の角度センサ２９３から出力されるアナログ出力値と、当該アナログ出力値と傾斜角度の関係を示すテーブルを用いて傾斜角度が求められる。コントローラ２２０は、第２の角度センサ２９２及び第３の角度センサ２９３からの角度情報に基づき、ＬＣＤ２３０の基準面に対する傾き角度θＬを算出する。
【００７２】
ＥＶＦ３００の傾き角度θＥは、ＥＶＦ３００の光軸とカメラボディ２００の上面とのなす角度となる。つまり、角度θＥは、ＥＶＦ３００の表示面２３０Ａと、光軸Ｌ（図４参照）に垂直な基準面との成す角度である。本実施の形態では、角度θＥは、０度以上９０度以下である。
【００７３】
ＬＣＤ２３０の傾き角度θＬは、ＬＣＤ２３０の表示面２３０Ａとカメラボディ２００の背面とのなす角度となる。つまり、角度θＬは、ＬＣＤ２３０の表示面２３０Ａと、光軸Ｌに垂直な基準面との成す角度である。さらに、表示面２３０Ａが上向きになるようにＬＣＤ２３０が傾けられた場合、ＬＣＤ２３０の傾き角度θＬは図１２に示すように、カメラボディ２００の背面（または基準面）から上方に反時計回りに回転する角度と定義される。一方、表示面２３０Ａが下向きになるようにＬＣＤ２３０が傾けられた場合、ＬＣＤ２３０の角度θＬは図１３に示すように、カメラボディ２００の背面（または基準面）から下方に時計回りに回転する角度と定義される。
【００７４】
図１４Ａは、本実施の形態のデジタルカメラ１０の接眼センサ３１０の有効および無効の設定動作を示すフローチャートである。図１４Ａのフローチャートを参照し、本実施の形態のデジタルカメラ１０における表示装置の切換動作について説明する。
【００７５】
図１４Ａに示す処理は、図８のフローチャートに示す処理に加えてさらにステップＳ１５ａ、Ｓ１６ａ、Ｓ１７ａ、Ｓ１８ａを備える。以下、図１４Ａのフローチャートの処理に関して、実施の形態１で説明した処理と異なる点について説明する。
【００７６】
コントローラ２２０は、ＥＶＦ３００が収納状態にない場合（Ｓ１１でＮＯ）、ＬＣＤ２３０が収納状態であるか否かを判断する（Ｓ１５ａ）。ＬＣＤ２３０が収納状態である場合（Ｓ１５ａでＹＥＳ）、コントローラ２２０は、接眼センサ３１０を有効に設定する（Ｓ１４）。
【００７７】
一方、ＬＣＤ２３０が収納状態でない場合（Ｓ１５ａでＮＯ）、すなわち、チルト状態である場合、コントローラ２２０は、ＬＣＤ２３０の傾き角度θＬからＥＶＦ３００の傾き角度θＥを引いた角度差Δθが所定値以上か否かを判断する（Ｓ１６ａ）。所定値は例えば１０°以上６０°以下であり、望ましくは３０°である。このため、コントローラ２２０は、第１の角度センサ２９１からの検出信号に基づきＥＶＦ３００の傾き角度θＥの情報を取得し、第２の角度センサ２９２及び第３の角度センサ２９３からの検出信号に基づき、ＬＣＤ２３０の傾き角度θＬの情報を取得する。コントローラ２２０は、取得した角度情報から、ＥＶＦ３００の傾き角度θＥとＬＣＤの傾き角度θＬの角度差Δθを算出する。
【００７８】
Δθ  ＝  θＬ  −  θＥ
角度差Δθが所定値以上である場合（Ｓ１６ａでＹＥＳ）、コントローラ２２０は接眼センサ３１０を無効に設定する（Ｓ１７ａ）。無効にする理由を以下に説明する。
【００７９】
すなわち、図１２のようにＬＣＤ２３０が上向きに傾いている場合であって、角度差Δθが大きい場合、表示面２３０ＡがＥＶＦ３００に接近する。したがって、接眼センサ３１０が、ＬＣＤ２３０に対するユーザのタッチ操作をユーザの顔の接近として誤検出する可能性が高くなるからである。
【００８０】
一方で、図１３のようにＬＣＤ２３０が下向きに傾いている場合であって、角度差Δθが大きい場合、接眼センサ３１０を無効にする理由は、接眼センサ３１０が、ＬＣＤ２３０自体をユーザの顔の接近として誤検出する可能性が高くなるからである。
【００８１】
ステップＳ１６ａの説明に戻り、角度差Δθが所定値未満である場合（Ｓ１６ａでＮＯ）、コントローラ２２０は接眼センサ３１０を有効に設定する（Ｓ１４）。この場合、接眼センサ３１０において誤検出する可能性は低いと考えられるからである。
【００８２】
また、ＥＶＦ３００が収納状態で、かつＬＣＤ２３０がチルト状態である場合（Ｓ１２でＹＥＳ）、コントローラ２２０は、角度差Δθが所定値以上か否かを判断する（Ｓ１８ａ）。コントローラ２２０は、角度差Δθが所定値以上である場合（Ｓ１８ａでＹＥＳ）、接眼センサ３１０を無効に設定する（Ｓ１３）。角度差Δθが所定値未満であれば（Ｓ１８ａでＮＯ）、コントローラ２２０は接眼センサ３１０を有効に設定する（Ｓ１４）。このように、ＬＣＤ２３０が傾いていても、接眼センサでの誤検出が発生しにくい状況であれば、接眼センサ３１０を有効に設定する。
【００８３】
なお、上記のようにＥＶＦ３００及びＬＣＤ２３０がチルト状態か否かを判断せずに、図１４Ｂに示すように、単純に角度差Δθが所定値以上である場合に（Ｓ１９ａでＹＥＳ）、接眼センサ３１０を無効に設定し（Ｓ１３）、角度差Δθが所定値未満であれば（Ｓ１９ａでＮＯ）、接眼センサ３１０を有効に設定するようにしてもよい（Ｓ１４）。
【００８４】
以上のように、本実施の形態では、ＬＣＤ２３０の傾き角度からＥＶＦ３００の傾き角度を引いたΔθが大きい場合には、接眼センサ３１０を無効に設定する。これにより、ＬＣＤ２３０に対するユーザのタッチ操作またはＬＣＤ２３０自体をユーザの顔の接近として誤検出してしまう可能性を低減できる。
【００８５】
上記のような角度差Δθを考慮して接眼センサ３１０の有効および無効を制御するという本実施の形態の思想は、実施の形態２のポップアップ可能なＥＶＦを備えるデジタルカメラに対しても適用できる。図１５Ａは、本実施の形態の思想を、実施の形態２のポップアップ可能なＥＶＦを備えるデジタルカメラに適用した場合の、接眼センサ３１０の有効および無効の設定動作を示すフローチャートである。図１５Ａに示す処理は、図１１のフローチャートに示す処理に加えてさらにステップＳ２７ａ、Ｓ２８ａ、Ｓ２９ａ、Ｓ３０ａを備える。以下、図１５Ａのフローチャートの処理に関して、実施の形態２で説明した処理と異なる点について説明する。なお、この場合、デジタルカメラ１０は第１〜第３の角度センサ２９１〜２９３を備えている。
【００８６】
図１５Ａにおいて、ＥＶＦ３００がポップアップ状態であり、かつ、チルト状態である場合（Ｓ２３でＹＥＳ）、コントローラ２２０は、ＬＣＤ２３０が収納状態であるか否かを判断する（Ｓ２７ａ）。ＬＣＤ２３０が収納状態である場合（Ｓ２７ａでＹＥＳ）、コントローラ２２０は、接眼センサ３１０を有効に設定する（Ｓ２６）。
【００８７】
一方、ＬＣＤ２３０が収納状態でない場合（Ｓ２７ａでＮＯ）、すなわち、チルト状態である場合、コントローラ２２０は、ＥＶＦ３００の傾き角度θＥとＬＣＤ２３０の傾き角度θＬの角度差Δθが所定値以上か否かを判断する（Ｓ２８ａ）。
【００８８】
角度差Δθが所定値以上である場合（Ｓ２８ａでＹＥＳ）、コントローラ２２０は接眼センサ３１０を無効に設定する（Ｓ２９ａ）。角度差Δθが大きい場合、接眼センサ３１０が、ＬＣＤ２３０に対するユーザのタッチ操作またはＬＣＤ２３０自体をユーザの顔の接近として誤検出する可能性が高くなると考えられるからである。角度差Δθが所定値未満である場合（Ｓ２８ｂでＮＯ）、コントローラ２２０は接眼センサ３１０を有効に設定する（Ｓ２６）。この場合、接眼センサ３１０において誤検出する可能性は低いと考えられるからである。
【００８９】
また、ＥＶＦ３００がポップアップされているがチルト状態でない場合であってＬＣＤ２３０がチルト状態である場合（Ｓ２４でＹＥＳ）、コントローラ２２０は角度差Δθが所定値以上か否かを判断する（Ｓ３０ｂ）。コントローラ２２０は、角度差Δθが所定値以上である場合（Ｓ３０ｂでＹＥＳ）、接眼センサ３１０を無効に設定する（Ｓ２２）。角度差Δθが所定値未満であれば（Ｓ３０ｂでＮＯ）、コントローラ２２０は接眼センサ３１０を有効に設定する（Ｓ２５）。この場合に、ＬＣＤ２３０が傾いていても、接眼センサでの誤検出が発生しにくいと考えられるからである。
【００９０】
なお、上記のようにＥＶＦ３００及びＬＣＤ２３０がチルト状態か否かを判断しなくてもよい。すなわち、図１５Ｂに示すように、ＥＶＦ３００がポップアップ状態である場合に、単純に角度差Δθが所定値以上である場合に（Ｓ３１ｂでＹＥＳ）、接眼センサ３１０を無効に設定し（Ｓ２２）、角度差Δθが所定値未満であれば（Ｓ３１ａでＮＯ）、接眼センサ３１０を有効に設定するようにしてもよい（Ｓ２５）。
【００９１】
以上のように、コントローラ２２０は、ＥＶＦ３００及びＬＣＤ２３０が可動状態４であっても、ＬＣＤ２３０の傾き角度θＬからＥＶＦ３００の傾き角度θＥを引いた差Δθが所定値以上の場合は、接眼センサ３１０を無効に設定してもよい。
【００９２】
（他の実施の形態）
上記実施の形態に限定されず、他の種々の実施形態が考えられる。以下、他の実施の形態についてまとめて記載する。
【００９３】
上記実施の形態において、撮像装置の例として、カメラボディ２００と、これに装着可能な交換レンズ１００とを備えるデジタルカメラの構成を説明した。しかしながら、撮像装置の構成は、カメラボディとレンズが必ずしも分離可能である必要はなく、レンズとカメラボディとが一体で構成されてもよい。
【００９４】
上記実施の形態において、第１の表示装置として説明したＥＶＦ３００は、カメラボディ２００に対して上方に回転（チルト動作）可能であれば、カメラボディ２００に対して着脱可能であっても、着脱できないように取り付けられたものでもよい。
【００９５】
上記実施の形態では、接眼センサ３１０はＥＶＦ３００上に配置されていたが、接眼センサ３１０を、カメラボディ２００側に設けてられてもよい。
【産業上の利用可能性】
【００９６】
本開示は、複数の撮像装置を備え、接眼センサの検出信号に基づき、機能させる表示装置を自動で切り替える撮像装置に有用である。
【符号の説明】
【００９７】
１０    デジタルカメラ（撮像装置）
１００    交換レンズ
１１０、１２０    レンズ
２００    カメラボディ
２１０    ＣＣＤイメージセンサ
２２０    コントローラ
２３０    ＬＣＤ（第２の表示装置）
２３０Ａ    表示面（第２表示面）
２３２、２３６    ヒンジ
２３４    連結部材
２４０    ＲＡＭ
２５０    操作部材
２５１    レリーズ釦
２５２    十字キー
２６０    カードスロット
２９０    第２の傾きセンサ
２９１    第１の角度センサ
２９２    第２の角度センサ
２９２Ｍ    磁石
２９２Ｈ    ホール素子本体
２９３    第３の角度センサ
２９３Ｍ    磁石
２９３Ｈ    ホール素子本体
３００    ＥＶＦ（第１の表示装置）
３０５    支持部材
３１０    接眼センサ
３２０    表示デバイス
３２０Ａ    表示面（第１表示面）
３４０    第１の傾きセンサ
３４５    ＥＶＦのポップアップを検出するセンサ
３５０    接眼窓（窓）
【図１】
2019095782.tif 000003
【図２】
2019095782.tif 000004
【図３】
2019095782.tif 000005
【図４】
2019095782.tif 000006
【図５】
2019095782.tif 000007
【図６】
2019095782.tif 000008
【図７】
2019095782.tif 000009
【図８】
2019095782.tif 000010
【図９】
2019095782.tif 000011
【図１０】
2019095782.tif 000012
【図１１】
2019095782.tif 000013
【図１２】
2019095782.tif 000014
【図１３】
2019095782.tif 000015
【図１４Ａ】
2019095782.tif 000016
【図１４Ｂ】
2019095782.tif 000017
【図１５Ａ】
2019095782.tif 000018
【図１５Ｂ】
2019095782.tif 000019